(57)【要約】【課題】光学素子への結露を抑制すること。【解決手段】内視鏡用カメラヘッド５は、被検体内に挿入されるとともに当該被検体からの被写体像を取り込む挿入部２が着脱自在に接続され、ユーザによって把持される筐体５１と、透光性を有するとともに筐体５１に設けられることで筐体５１を密閉する光学素子５２と、筐体５１内に設けられ、光学素子５２を介して筐体５１内に取り込まれた被写体像を撮像する撮像素子５４１と、を備える。筐体５１には、光学素子５２よりも熱抵抗値が小さく、筐体５１内外の熱の貫流路となる結露形成部５１Ｂが設けられている。【選択図】図２
2020141761.tif 000002
【特許請求の範囲】
【請求項１】
被検体内に挿入されるとともに当該被検体からの被写体像を取り込む挿入部が着脱自在に接続され、ユーザによって把持される筐体と、
透光性を有するとともに前記筐体に設けられることで前記筐体を密閉する光学素子と、
前記筐体内に設けられ、前記光学素子を介して前記筐体内に取り込まれた前記被写体像を撮像する撮像素子と、を備え、
前記筐体には、
前記光学素子よりも熱抵抗値が小さく、前記筐体内外の熱の貫流路となる結露形成部が設けられている内視鏡用カメラヘッド。
【請求項２】
前記筐体は、
筐体本体と、
前記筐体本体とは別体で設けられた前記結露形成部とを備える請求項１に記載の内視鏡用カメラヘッド。
【請求項３】
前記結露形成部は、
前記光学素子と同一の材料で構成されているとともに、前記光学素子よりも厚み寸法が小さい請求項２に記載の内視鏡用カメラヘッド。
【請求項４】
前記結露形成部は、
前記光学素子よりも熱伝導率が高い材料で構成されている請求項２に記載の内視鏡用カメラヘッド。
【請求項５】
前記筐体の外面に露出して設けられ、ユーザによる操作を受け付ける操作部をさらに備え、
前記結露形成部は、
前記撮像素子に入射する前記被写体像の光軸を挟んで前記操作部と対向する側に設けられている請求項１に記載の内視鏡用カメラヘッド。
【請求項６】
前記筐体の外面に露出して設けられ、ユーザによる操作を受け付ける操作部をさらに備え、
前記結露形成部は、
前記筐体における前記操作部が設けられた壁部とは異なる壁部に設けられている請求項１に記載の内視鏡用カメラヘッド。
【請求項７】
前記筐体は、
筐体本体と、
前記筐体本体に接続されているとともに、前記挿入部が着脱自在に接続される装着部と、を備え、
前記筐体本体は、
前記装着部に接続されているとともに、前記撮像素子に入射する前記被写体像の光軸に直交する断面において、前記装着部よりも小さいサイズを有する第１筒部と、
前記光軸に直交する断面において、少なくとも一部が前記第１筒部よりも大きいサイズを有する第２筒部と、
前記装着部に対向するとともに、前記第１筒部と前記第２筒部とを接続する接続部と、を備え、
前記結露形成部は、
前記接続部に設けられている請求項１に記載の内視鏡用カメラヘッド。
【発明の詳細な説明】
【技術分野】
【０００１】
本発明は、内視鏡用カメラヘッドに関する。
【背景技術】
【０００２】
従来、人等の被検体内（生体内）に挿入されるとともに当該被検体からの被写体像を取り込む挿入部が着脱自在に接続され、当該挿入部から出射された被写体像を撮像する内視鏡用カメラヘッドが知られている（例えば、特許文献１参照）。
特許文献１に記載の内視鏡用カメラヘッドは、挿入部が着脱自在に接続され、ユーザによって把持される筐体（ケーシング）と、透光性を有するとともに当該筐体に設けられることで当該筐体を密閉する光学素子と、当該筐体内に設けられ、当該光学素子を介して当該筐体内に取り込まれた被写体像を撮像する撮像素子とを備える。
【先行技術文献】
【特許文献】
【０００３】
【特許文献１】特開２０１５−１３４０３９号公報
【発明の概要】
【発明が解決しようとする課題】
【０００４】
ところで、特許文献１に記載の内視鏡用カメラヘッドとして、ゴムパッキン等を押し潰すことによって隙間から筐体内への液体の浸入を抑制する水密構造を採用した場合には、以下の問題が生じる虞がある。
リプロセスの１つであるウォッシャーディスインフェクタを用いて内視鏡用カメラヘッドを高温下で洗浄及び消毒を行った場合には、微量な水蒸気が筐体内に浸入する場合がある。このため、当該洗浄及び消毒を一定の回数以上、行った内視鏡用カメラヘッドについては、筐体内の水蒸気量が比較的に多くなっている。そして、当該内視鏡用カメラヘッドでは、筐体内の温度が上昇し、当該筐体内外に温度差が生じると、光学素子が当該筐体内外の熱の貫流路となるため、当該光学素子に結露が発生し易い、という問題がある。当該光学素子は、挿入部から出射される被写体像を筐体内に取り込む機能を有する。このため、光学素子に結露が発生すると、生体内の観察の妨げとなる。
【０００５】
本発明は、上記に鑑みてなされたものであって、光学素子への結露を抑制することができる内視鏡用カメラヘッドを提供することを目的とする。
【課題を解決するための手段】
【０００６】
上述した課題を解決し、目的を達成するために、本発明に係る内視鏡用カメラヘッドは、被検体内に挿入されるとともに当該被検体からの被写体像を取り込む挿入部が着脱自在に接続され、ユーザによって把持される筐体と、透光性を有するとともに前記筐体に設けられることで前記筐体を密閉する光学素子と、前記筐体内に設けられ、前記光学素子を介して前記筐体内に取り込まれた前記被写体像を撮像する撮像素子と、を備え、前記筐体には、前記光学素子よりも熱抵抗値が小さく、前記筐体内外の熱の貫流路となる結露形成部が設けられている。
【０００７】
また、本発明に係る内視鏡用カメラヘッドでは、上記発明において、前記筐体は、筐体本体と、前記筐体本体とは別体で設けられた前記結露形成部とを備える。
【０００８】
また、本発明に係る内視鏡用カメラヘッドでは、上記発明において、前記結露形成部は、前記光学素子と同一の材料で構成されているとともに、前記光学素子よりも厚み寸法が小さい。
【０００９】
また、本発明に係る内視鏡用カメラヘッドでは、上記発明において、前記結露形成部は、前記光学素子よりも熱伝導率が高い材料で構成されている。
【００１０】
また、本発明に係る内視鏡用カメラヘッドでは、上記発明において、前記筐体の外面に露出して設けられ、ユーザによる操作を受け付ける操作部をさらに備え、前記結露形成部は、前記撮像素子に入射する前記被写体像の光軸を挟んで前記操作部と対向する側に設けられている。
【００１１】
また、本発明に係る内視鏡用カメラヘッドでは、上記発明において、前記筐体の外面に露出して設けられ、ユーザによる操作を受け付ける操作部をさらに備え、前記結露形成部は、前記筐体における前記操作部が設けられた壁部とは異なる壁部に設けられている。
【００１２】
また、本発明に係る内視鏡用カメラヘッドでは、上記発明において、前記筐体は、筐体本体と、前記筐体本体に接続されているとともに、前記挿入部が着脱自在に接続される装着部と、を備え、前記筐体本体は、前記装着部に接続されているとともに、前記撮像素子に入射する前記被写体像の光軸に直交する断面において、前記装着部よりも小さいサイズを有する第１筒部と、前記光軸に直交する断面において、少なくとも一部が前記第１筒部よりも大きいサイズを有する第２筒部と、前記装着部に対向するとともに、前記第１筒部と前記第２筒部とを接続する接続部と、を備え、前記結露形成部は、前記接続部に設けられている。
【発明の効果】
【００１３】
本発明に係る内視鏡用カメラヘッドによれば、光学素子への結露を抑制することができる、という効果を奏する。
【図面の簡単な説明】
【００１４】
【図１】図１は、実施の形態１に係る医療用観察システムの概略構成を示す図である。
【図２】図２は、内視鏡用カメラヘッドを示す図である。
【図３】図３は、実施の形態２に係る内視鏡用カメラヘッドを示す図である。
【発明を実施するための形態】
【００１５】
以下に、図面を参照して、本発明を実施するための形態（以下、実施の形態）について説明する。なお、以下に説明する実施の形態によって本発明が限定されるものではない。さらに、図面の記載において、同一の部分には同一の符号を付している。
【００１６】
（実施の形態１）
〔医療用観察システムの概略構成〕
図１は、実施の形態１に係る医療用観察システム１の概略構成を示す図である。
医療用観察システム１は、医療分野において用いられ、被検体内（生体内）を観察するシステムである。この医療用観察システム１は、図１に示すように、挿入部２と、光源装置３と、ライトガイド４と、内視鏡用カメラヘッド５と、第１伝送ケーブル６と、表示装置７と、第２伝送ケーブル８と、制御装置９と、第３伝送ケーブル１０とを備える。
【００１７】
本実施の形態１では、挿入部２は、硬性内視鏡で構成されている。すなわち、挿入部２は、全体が硬質、または一部が軟質で他の部分が硬質である細長形状を有し、生体内に挿入される。この挿入部２内には、１または複数のレンズを用いて構成され、生体内からの光（被写体像）を集光する光学系が設けられている。
光源装置３は、ライトガイド４の一端が接続され、制御装置９による制御の下、当該ライトガイド４の一端に生体内を照明するための光を供給する。
なお、本実施の形態１では、光源装置３は、制御装置９とは別体で構成されているが、これに限らず、当該制御装置９内部に設けられた構成を採用しても構わない。
【００１８】
ライトガイド４は、一端が光源装置３に着脱自在に接続するとともに、他端が挿入部２に着脱自在に接続する。そして、ライトガイド４は、光源装置３から供給された光を一端から他端に伝達し、挿入部２に供給する。挿入部２に供給された光は、当該挿入部２の先端から出射され、生体内に照射される。生体内に照射され、当該生体内で反射された光（被写体像）は、挿入部２内の光学系にて集光される。挿入部２内の光学系にて集光された被写体像は、挿入部２の基端（接眼部２１（図１））から出射される。
【００１９】
内視鏡用カメラヘッド５には、挿入部２（接眼部２１）が着脱自在に接続される。そして、内視鏡用カメラヘッド５は、制御装置９による制御の下、接眼部２１から出射された被写体像を撮像し、当該撮像による画像信号（ＲＡＷ信号）を出力する。当該画像信号は、例えば、４Ｋ以上の画像信号である。
なお、内視鏡用カメラヘッド５の詳細な構成については、後述する。
【００２０】
第１伝送ケーブル６は、一端がコネクタＣＮ１（図１）を介して制御装置９に着脱自在に接続され、他端が内視鏡用カメラヘッド５に接続される。そして、第１伝送ケーブル６は、内視鏡用カメラヘッド５から出力される画像信号等を制御装置９に伝送するとともに、制御装置９から出力される制御信号、同期信号、クロック、及び電力等を内視鏡用カメラヘッド５にそれぞれ伝送する。
なお、第１伝送ケーブル６を介した内視鏡用カメラヘッド５から制御装置９への画像信号等の伝送は、当該画像信号等を光信号で伝送してもよく、あるいは、電気信号で伝送しても構わない。第１伝送ケーブル６を介した制御装置９から内視鏡用カメラヘッド５への制御信号、同期信号、クロックの伝送も同様である。
【００２１】
表示装置７は、液晶または有機ＥＬ（Electro  Luminescence）等を用いた表示ディスプレイで構成され、制御装置９による制御の下、当該制御装置９からの映像信号に基づく観察画像を表示する。
第２伝送ケーブル８は、一端が表示装置７に着脱自在に接続され、他端が制御装置９に着脱自在に接続される。そして、第２伝送ケーブル８は、制御装置９にて処理された映像信号を表示装置７に伝送する。
【００２２】
制御装置９は、ＣＰＵ（Central  Processing  Unit）等を含んで構成され、光源装置３、内視鏡用カメラヘッド５、及び表示装置７の動作を統括的に制御する。
例えば、制御装置９は、第１伝送ケーブル６を介して内視鏡用カメラヘッド５から取得した画像信号に対して種々の処理を施すことで映像信号を生成し、第２伝送ケーブル８を介して当該映像信号を表示装置７に出力する。そして、表示装置７は、当該映像信号に基づく観察画像を表示する。また、制御装置９は、第１，第３伝送ケーブル６，１０を介して、内視鏡用カメラヘッド５や光源装置３に対して制御信号等を出力する。
第３伝送ケーブル１０は、一端が光源装置３に着脱自在に接続され、他端が制御装置９に着脱自在に接続される。そして、第３伝送ケーブル１０は、制御装置９からの制御信号を光源装置３に伝送する。
【００２３】
〔内視鏡用カメラヘッドの構成〕
次に、内視鏡用カメラヘッド５の構成について説明する。
図２は、内視鏡用カメラヘッド５を示す図である。具体的に、図２は、接眼部２１から出射される被写体像の光軸Ａｘを含む平面にて内視鏡用カメラヘッド５を切断した断面図である。
なお、図２では、説明の便宜上、接眼部２１が接続される側を先端側Ａｒ１とし、第１伝送ケーブル６が接続される側を基端側Ａｒ２としている。
内視鏡用カメラヘッド５は、図２に示すように、筐体５１と、光学素子５２と、レンズユニット５３と、撮像部５４と、基端封止部材５５と、操作部５６とを備える。
【００２４】
筐体５１は、挿入部２（接眼部２１）が着脱自在に接続されるとともに、医師等のユーザによって把持される部分である。この筐体５１は、図２に示すように、筐体本体５１Ａと、結露形成部５１Ｂと、装着部５１Ｃとを備える。
筐体本体５１Ａは、ステンレス等の金属材料で構成されている。この筐体本体５１Ａは、図２に示すように、先端側Ａｒ１に位置する第１筐体部５１１と、基端側Ａｒ２に位置する第２筐体部５１２と、第１，第２筐体部５１１，５１２の間に位置する中間筐体部５１３とを備える。
【００２５】
第１筐体部５１１は、図２に示すように、第１，第２筒部５１４，５１５と、接続部５１６とを備える。
第１筒部５１４は、筒状（例えば、円筒状）に形成され、第２筒部５１５及び接続部５１６よりも先端側Ａｒ１に位置する。そして、第１筒部５１４は、内部にて光学素子５２を保持する。
第２筒部５１５は、第１筒部５１４の外形サイズよりも大きい内形サイズを有する筒状（例えば、円筒状）に形成されている。
接続部５１６は、環状（例えば、円環状）に形成され、第１，第２筒部５１４，５１５同士を接続する。
そして、第１，第２筒部５１４，５１５及び接続部５１６は、互いの中心軸が光軸Ａｘに一致するように一体形成されている。
【００２６】
中間筐体部５１３は、筒状（例えば、円筒状）に形成され、第２筒部５１５の基端側Ａｒ２の端部が内部に嵌合した状態で第１筐体部５１１に対して組み付けられる。ここで、第１筐体部５１１と中間筐体部５１３との間には、ゴムパッキン等のシール部ＯＲ１（図２）が押し潰された状態で配置されている。すなわち、第１筐体部５１１と中間筐体部５１３との間は、シール部ＯＲ１にて水密に封止されている。
【００２７】
第２筐体部５１２は、筒状（例えば、円筒状）に形成され、先端側Ａｒ１の端部が中間筐体部５１３の内部に嵌合した状態で当該中間筐体部５１３に対して組み付けられる。ここで、第２筐体部５１２と中間筐体部５１３との間には、ゴムパッキン等のシール部ＯＲ２（図２）が押し潰された状態で配置されている。すなわち、第２筐体部５１２と中間筐体部５１３との間は、シール部ＯＲ２にて水密に封止されている。
【００２８】
本実施の形態１では、結露形成部５１Ｂは、筐体本体５１Ａとは別体で設けられている。具体的に、結露形成部５１Ｂは、第２筒部５１５の内外を貫通する貫通孔５１７（図２）内に例えばろう接にて固定されている。すなわち、貫通孔５１７は、結露形成部５１Ｂにて気密に封止されている。
なお、結露形成部５１Ｂの機能については後述する。
【００２９】
装着部５１Ｃは、挿入部２（接眼部２１）が装着される部分である。この装着部５１Ｃは、第１筒部５１４の外形サイズよりも大きい外形サイズを有するとともに先端側Ａｒ１に開口を有する有底筒状（例えば、有底円筒状）に形成され、第１筒部５１４が基端側Ａｒ２の底部分を貫通した状態で、当該第１筒部５１４の外周面に固定されている。この状態では、接続部５１６は、装着部５１Ｃに対向する。
そして、挿入部２は、接眼部２１が装着部５１Ｃ内に嵌合することで、内視鏡用カメラヘッド５に対して装着される。
【００３０】
光学素子５２は、透光性を有する材料で構成され、第１筒部５１４内に例えばろう接にて固定されている。すなわち光学素子５２は、筐体本体５１Ａの先端側Ａｒ１の開口（第１筒部５１４の内部）を気密に封止する。
レンズユニット５３は、筐体本体５１Ａ内に設けられている。そして、レンズユニット５３は、挿入部２（接眼部２１）から出射され、光学素子５２を介して筐体本体５１Ａ内に取り込まれた被写体像を撮像部５４（撮像素子５４１）の撮像面に結像する。
【００３１】
撮像部５４は、筐体本体５１Ａ内に設けられ、制御装置９による制御の下、生体内を撮像する。この撮像部５４は、レンズユニット５３が結像した被写体像を受光して電気信号に変換するＣＣＤ（Charge  Coupled  Device）またはＣＭＯＳ（Complementary  Metal  Oxide  Semiconductor）等の撮像素子５４１と、撮像素子５４１からの電気信号（アナログ信号）に対して信号処理（Ａ／Ｄ変換等）を行って画像信号（ＲＡＷ信号（デジタル信号））を出力する信号処理部（図示略）等を備える。
そして、撮像部５４は、筐体本体５１Ａの基端側Ａｒ２の開口（第２筐体部５１２の基端側Ａｒ２の開口）を介して当該筐体本体５１Ａ内に引き回された第１伝送ケーブル６と電気的に接続する。
【００３２】
基端封止部材５５は、第２筐体部５１２の基端側Ａｒ２の開口と第１伝送ケーブル６の外面との間の隙間を水密に封止する部材である。
【００３３】
操作部５６は、図２に示すように、中間筐体部５１３の内外を貫通する貫通孔５１８を介して当該中間筐体部５１３の外面に露出して設けられた押しボタンスイッチ等で構成され、医師等のユーザによる操作を受け付ける部分である。なお、操作部５６と貫通孔５１８との間には、図２に示すように、ゴムパッキン等のシール部ＯＲ３が押し潰された状態で配置されている。すなわち、操作部５６と貫通孔５１８との間は、シール部ＯＲ３にて水密に封止されている。
そして、筐体本体５１Ａ内において、操作部５６に対向する位置には、図２に示すように、スイッチ素子（図示略）が実装された操作基板５７が設けられている。
ここで、操作基板５７は、第２筐体部５１２の基端側Ａｒ２の開口を介して筐体本体５１Ａ内に引き回された第１伝送ケーブル６と電気的に接続する。すなわち、操作基板５７（スイッチ素子）は、第１伝送ケーブル６を介して、医師等のユーザによる操作部５６の押下に応じた操作信号を制御装置９に出力する。
【００３４】
〔結露形成部の機能〕
次に、上述した結露形成部５１Ｂの機能について説明する。
結露形成部５１Ｂは、光学素子５２への結露を抑制する機能を有する。
ところで、結露は、筐体５１内外の熱の貫流路となり、熱が通り易い箇所に発生し易いものである。言い換えれば、結露は、熱抵抗値（厚さ[ｍ]／熱伝導率[Ｗ／（ｍ・Ｋ）]）の小さい箇所に発生し易いものである。
そして、結露形成部５１Ｂは、光学素子５２よりも小さい熱抵抗値を有するように設定されている。すなわち、結露形成部５１Ｂに優先的に結露を発生させることによって、光学素子５２への結露を抑制させている。
本実施の形態１では、結露形成部５１Ｂは、光学素子５２と同一の材料（例えば、サファイアガラス）で構成されているとともに光学素子５２よりも厚み寸法を小さくすることによって、光学素子５２よりも小さい熱抵抗値を有するように設定されている。
また、結露形成部５１Ｂは、光軸Ａｘを挟んで操作部５６と対向する側（図２中、下方側）に設けられている。
【００３５】
以上説明した本実施の形態１によれば、以下の効果を奏する。
本実施の形態１に係る内視鏡用カメラヘッド５では、結露形成部５１Ｂは、光学素子５２と同一の材料で構成されているとともに光学素子５２よりも厚み寸法を小さくすることによって、光学素子５２よりも小さい熱抵抗値を有するように設定されている。
したがって、本実施の形態１に係る内視鏡用カメラヘッド５によれば、結露形成部５１Ｂに優先的に結露を発生させ、光学素子５２への結露を抑制することができ、生体内を良好に観察することができる。
特に、光学素子５２と結露形成部５１Ｂとが同一の材料で構成されているため、第１筐体部５１１に対して光学素子５２及び結露形成部５１Ｂをろう接にて固定する際、同一の工程にてろう接を行うことができる。このため、光学素子５２及び結露形成部５１Ｂを異なる材料で構成することで異なる工程にてろう接を行う場合と比較して、内視鏡用カメラヘッド５を容易に製造することができる。
【００３６】
また、本実施の形態１に係る内視鏡用カメラヘッド５では、結露形成部５１Ｂは、光軸Ａｘを挟んで操作部５６と対向する側に設けられている。
ところで、内視鏡用カメラヘッド５の使用形態としては、操作部５６が上方側に位置する姿勢で内視鏡用カメラヘッド５が使用されることが多い。すなわち、内視鏡用カメラヘッド５の使用時には、結露形成部５１Ｂは、常時、当該内視鏡用カメラヘッド５の下方側に位置することとなる。
したがって、結露形成部５１Ｂへの結露による水滴が筐体５１内において他の場所に移動することを抑制することができる。特に、結露形成部５１Ｂが光軸を挟んで操作部５６と対向する側、言い換えれば、操作部５６から離間して設けられているため、結露形成部５１Ｂへの結露による水滴が操作基板５７に付着することを抑制することができる。
【００３７】
（実施の形態２）
次に、本実施の形態２について説明する。
図３は、本実施の形態２に係る内視鏡用カメラヘッド５´を示す図である。なお、図３は、図２に対応した断面図である。
本実施の形態２に係る内視鏡用カメラヘッド５´では、図３に示すように、上述した実施の形態１に対して、結露形成部５１Ｂ及び貫通孔５１７を設ける位置を第２筒部５１５ではなく接続部５１６とした点が異なるのみである。すなわち、本実施の形態２に係る内視鏡用カメラヘッド５´では、結露形成部５１Ｂは、筐体５１において、操作部５６が設けられた壁部とは異なる壁部に設けられている。
【００３８】
以上説明した本実施の形態２によれば、上述した実施の形態１と同様の効果の他、以下の効果を奏する。
ところで、医師等のユーザが結露形成部５１Ｂに触れることによって当該結露形成部５１Ｂの温度が上昇してしまうと、当該結露形成部５１Ｂに優先的に結露を発生させることが難しい。
ここで、接続部５１６は、装着部５１Ｃに対向する。このため、接続部５１６は、筐体５１において、医師等のユーザが触れることができない箇所である。
そして、本実施の形態２に係る内視鏡用カメラヘッド５´では、結露形成部５１Ｂは、医師等のユーザが触れることができない接続部５１６に設けられている。したがって、医師等のユーザが結露形成部５１Ｂに触れることによって当該結露形成部５１Ｂの温度が上昇してしまうことがなく、結露形成部５１Ｂに優先的に結露を発生させることができ、光学素子５２への結露を効果的に抑制することができる。
【００３９】
（実施の形態３）
次に、本実施の形態３について説明する。
以下の説明では、上述した実施の形態１と同様の構成には同一符号を付し、その詳細な説明は省略または簡略化する。
上述した実施の形態１に係る結露形成部５１Ｂは、光学素子５２と同一の材料で構成されているとともに光学素子５２よりも厚み寸法を小さくすることによって、光学素子５２よりも小さい熱抵抗値を有するように設定されていた。
これに対して、本実施の形態３では、光学素子５２は、比較的に熱伝導率の低い材料（例えば、石英ガラス等）で構成されている。そして、結露形成部５１Ｂは、光学素子５２よりも熱伝導率が高い材料（例えば、サファイアガラス等）で構成することによって、光学素子５２よりも小さい熱抵抗値を有するように設定されている。
【００４０】
以上説明した本実施の形態３のように光学素子５２及び結露形成部５１Ｂの材料を異なるものとした場合であっても、上述した実施の形態１と同様の効果を奏する。
なお、本実施の形態３に係る光学素子５２及び結露形成部５１Ｂを上述した実施の形態２に係る内視鏡用カメラヘッド５に採用しても構わない。
【００４１】
（その他の実施の形態）
ここまで、本発明を実施するための形態を説明してきたが、本発明は上述した実施の形態１〜３によってのみ限定されるべきものではない。
上述した実施の形態１〜３では、結露形成部５１Ｂは、１つのみ設けられていたが、これに限らず、複数、設けても構わない。
上述した実施の形態１〜３では、筐体本体５１Ａは、第１，第２の筐体部５１１，５１２と中間筐体部５１３との３体で構成されていたが、これに限らず、単体で構成してもよく、２体で構成してもよく、あるいは、４体以上で構成してもよい。
上述した実施の形態１〜３では、結露形成部５１Ｂを筐体本体５１Ａとは別体で構成していたが、これに限らず、筐体本体５１Ａと同一材料で一体形成しても構わない。例えば、筐体本体５１Ａの一部または全てを光学素子５２よりも小さい熱抵抗値によって構成すれば、当該筐体本体５１Ａの一部または全ては、本発明に係る結露形成部に相当する。
上述した実施の形態１〜３では、結露形成部５１Ｂは、光軸Ａｘを挟んで操作部５６と対向する側や接続部５１６に設けられていたが、これに限らず、その他の位置に設けても構わない。
上述した実施の形態１〜３において、医療用観察システム１は、医療分野に限らず、工業分野で用いられ、機械構造物等の被検体内を観察するシステムとして構成しても構わない。
【符号の説明】
【００４２】
１  医療用観察システム
２  挿入部
３  光源装置
４  ライトガイド
５，５´  内視鏡用カメラヘッド
６  第１伝送ケーブル
７  表示装置
８  第２伝送ケーブル
９  制御装置
１０  第３伝送ケーブル
２１  接眼部
５１  筐体
５１Ａ  筐体本体
５１Ｂ  結露形成部
５１Ｃ  装着部
５２  光学素子
５３  レンズユニット
５４  撮像部
５５  基端封止部材
５６  操作部
５７  操作基板
５１１  第１筐体部
５１２  第２筐体部
５１３  中間筐体部
５１４  第１筒部
５１５  第２筒部
５１６  接続部
５１７，５１８  貫通孔
５４１  撮像素子
Ａｒ１  先端側
Ａｒ２  基端側
Ａｘ  光軸
ＣＮ１  コネクタ
ＯＲ１〜ＯＲ３  シール部
【図１】
2020141761.tif 000003
【図２】
2020141761.tif 000004
【図３】
2020141761.tif 000005